(57)【要約】【課題】コストアップを抑えると共に支柱自体の強度や支柱を立設する基礎の強度を殊更増やすことなく、効果的に侵入者を排除することのできるようにした敷地侵入防止用フエンスを提供する。【解決手段】間隔をおいて立設した支柱１間に、複数の横線材２２と縦線材２１とを縦横格子状に組合わせて形成したフエンスパネル２を上下に複数配置し、最下段に配置したフエンスパネル２ａの縦線材２１のピッチＰａを、上段に配置したフエンスパネル２ｂの縦線材２１のピッチＰｂより狭くし、下段のフエンスパネル２ａの縦線材２１間に、乗り越えようとする人の足や履物が入らないようにする。【選択図】　　　図１
2004107935.tif 000002
【特許請求の範囲】
【請求項１】
間隔をおいて立設した支柱間に、複数の横線材と縦線材とを縦横格子状に組合わせて形成したフエンスパネルを上下に複数配置し、最下段に配置したフエンスパネルの縦線材のピッチを、上段に配置したフエンスパネルの縦線材のピッチより狭くしたことを特徴とする敷地侵入防止用フエンス。
【請求項２】
間隔をおいて立設した支柱間に、二個のフエンスパネルを上下に配置し、下段に配置したフエンスパネルの縦線材のピッチを、上段に配置したフエンスパネルの縦線材のピッチより狭くしたことを特徴とする請求項１に記載の敷地侵入防止用フエンス。
【請求項３】
最上段のフエンスパネルは、縦線材の上端部を最上位の横線材よりも上方に突出させると共に、その突出高さを正面から見てウエーブ状に変化させたことを特徴とする請求項１又は２に記載の敷地侵入防止用フエンス。
【発明の詳細な説明】
【０００１】
【発明の属する技術分野】
本発明は、敷地内に人が侵入するのを防止するために、例えば敷地の周囲に設置される敷地侵入防止用フエンスに関するものである。
【０００２】
【従来の技術】
一般に、高電圧の鉄塔等が設置された敷地では、人が容易にその敷地内に入らないように、その敷地の周囲にフエンスが設置されている。従来、この種の目的のために設置されるフエンスとして、例えば、間隔をおいて立設した支柱間に、複数の横線材と縦線材とを縦長格子状に電気溶接して形成したフエンスパネルを、上下に複数配置したものがある（例えば、特許文献１参照。）。
【０００３】
【特許文献１】
実願昭５６−９７４６０号（実開昭５８−２２７５号）のマイクロフイルム（実用新案登録請求の範囲、考案の詳細な説明、第１図）
【０００４】
フエンスパネルを上下に複数配置する理由として、侵入者を排除するには、できるだけフエンスパネルの背を高くするのが好ましいが、背の高い一個のフエンスパネルを用いると取り扱いや製作が面倒になると共に、重量が重くなって変形しやすくなることから、上下に複数配置して背を高くすることにより、これらの問題をなくするためである。
【０００５】
尚、複数の横線材と縦線材とを縦長格子状に電気溶接して形成したフエンスパネルは、一般にはメッシュフエンスパネルと称せられ、格子状の縦線材と横線材との交叉部が電気溶接されていることに加えて、上辺や下辺に縦線材を折曲して胴縁を一体的に形成できることから、線材を斜め格子状に編み込んだいわゆるネットフエンスパネルに比べ、保形性に優れ、且つアングル材等で形成する胴縁が不要であり、耐久性、強度的に優れる等の利点を有し、高電圧の鉄塔が設置された敷地の周囲に設置される敷地侵入防止用フエンスとして、最近では富に用いられている。
【０００６】
【発明が解決しようとする課題】
ところで、前記の如き敷地侵入防止用フエンスは、ただ単に敷地を囲うのみではなく、フエンスパネルの格子に足を掛けてよじ登り、敷地内に侵入する者を排除することも必要である。これに対応するには、格子に足や履物が入らないように縦線材のピッチを狭くすればよいが、狭くすればする程、必要な縦線材の本数が増加し、コストアップになり、またフエンスパネルの重量が重くなる。フエンスパネルの重量が重くなると、かように重くなったフエンスパネルを上下に複数配置することから、これら複数のフエンスパネル全体を支持する支柱自体の強度や支柱を立設する基礎の強度も増やす必要が生じ、これまたコストアップになると共に支柱の施工が複雑になる等の問題が付随して発生する。
【０００７】
そこで本発明は、前記の如き問題点を解消し、コストアップを抑えると共に支柱自体の強度や支柱を立設する基礎の強度を殊更増やすことなく、効果的に侵入者を排除することのできるようにした敷地侵入防止用フエンスを提供せんとするものである。
【０００８】
【課題を解決するための手段】
上記目的を達成するために、本発明は次のような構成としている。
すなわち本発明に係る敷地侵入防止用フエンスは、間隔をおいて立設した支柱間に、複数の横線材と縦線材とを縦横格子状に組合わせて形成したフエンスパネルを上下に複数配置し、最下段に配置したフエンスパネルの縦線材のピッチを、上段に配置したフエンスパネルの縦線材のピッチより狭くしたことを特徴とするものである。
【０００９】
本発明によれば、最下段に配置したフエンスパネルの縦線材のピッチを、それより上段に配置したフエンスパネルの縦線材のピッチより狭くし、この最下段のフエンスパネルの縦線材間の隙間を、人の足や履物が入らない程度の狭い寸法にすることにより、フエンスパネルの格子に足を掛けてよじ登り、敷地内に侵入しようとする者を排除することができる。
【００１０】
しかも縦線材のピッチが狭いフエンスパネルは最下段のものであって、上段のフエンスパネルは、それよりも縦線材のピッチが広く、必要な縦線材の本数が少なくてすむので、最下段のフエンスパネルは重量が重くなるものの、上段のフエンスパネルは軽くすることができることから、フエンス全体としての重量の増加を抑えることができ、従って、コストアップを抑えると共に支柱自体の強度や支柱を立設する基礎の強度を殊更増やす必要がなく、又付随して、人等が接触しやすい最下段のフエンスパネルの強度が、ピッチを狭くすることにより増加するので好ましい。
【００１１】
最下段のフエンスパネルの縦線材のピッチをいくらにするかについては、侵入者の足や履物の大きさによって一概には決められないが、年少者にも対応するとなると、できるだけ狭くするのが好ましいものの、上記した如く狭くすればする程、縦線材の本数が増加して重くなるため、両者を適宜勘案すると、一般的には４５ｍｍ以下となり、好適には４０ｍｍ以下となる。ピッチを４０ｍｍとし、縦線材の直径をその上に塗布される塗装の厚みも含めて４ｍｍにした場合、縦線材間の実質の隙間は３６ｍｍとなり、年少者でも足や履物が入らない。上段のフエンスパネルのピッチは、コストと必要な強度を考慮し、できるだけ広くすればよいが、一般的には５０ｍｍ以上に設定される。
【００１２】
本発明において、上下に配置するフエンスパネルの数は、二段又は三段以上等、特に限定されるものではないが、上記した如く、侵入者を排除するためにはできるだけ背を高くするのが好ましく、そして侵入者の足や履物が格子に入らないように、少なくとも最下段のフエンスの縦線材のピッチをこれら人の足や履物の幅より狭くする。この場合、フエンスパネルを三段に配置した場合、最下段のフエンスパネルのピッチを最上段のフエンスパネルのピッチより狭くしたとすると、二段目のフエンスパネルの縦線材のピッチは、最下段の狭いピッチにしてもよいし、最上段の広いピッチにしてもよい。
【００１３】
フエンスパネルを二段に配置する場合は、下段に配置したフエンスパネルの縦線材のピッチを、上段に配置したフエンスパネルの縦線材のピッチより狭くする。
【００１４】
又、最上段のフエンスパネル、すなわちフエンスパネルを二段に配置する場合は、上段に配置したフエンスパネル、フエンスパネルを三段以上に配置した場合、その最上段に配置したフエンスパネルは、縦線材の上端部を最上位の横線材よりも上方に突出させると共に、その突出高さを正面から見てウエーブ状に変化させるようにすれば、変化に富んだ意匠となり、又より乗り越えにくくなる。
【００１５】
【発明の実施の形態】
以下本発明の実施の形態について図を参照にして詳細に説明する。
まず図１は本発明に係る敷地侵入防止用フエンスの実施の一形態を示す正面図、図２はその主要部の断面図、図３は下段のフエンスパネルの一部拡大図、図４は上段のフエンスパネルの一部拡大図である。
【００１６】
図面に示される形態は、間隔をおいて基礎１１に立設された支柱１間に二個のフエンスパネル２が、上下に配置され、それらのフエンスパネル２がバンド金具３によって支柱１に支持されていると共に、二個のフエンスパネル２同士が連結金具４によって連結されているものである。
【００１７】
フエンスパネル２は、いずれも亜鉛メッキが施された直径２ｍｍの鉄線材からなる縦線材２１と横線材２２とが縦横格子状に組合わされ、その格子状の各交叉部２３が電気溶接によって固着され、さらに表面全体に塗装が施されて形成されたものであり、この塗装によって、縦線材２１及び横線材２２の実質の直径は、塗装の厚さを加えて４ｍｍとなっている。
【００１８】
下段のフエンスパネル２ａは、幅１８００ｍｍ、高さ１４７０ｍｍの大きさのパネルであって、人の背の高さを考慮し、人がよじ登りにくい程度の高さとなっており、そして縦線材２１のピッチＰａは４０ｍｍとし、塗装の厚みを含めると縦線材２１間の隙間Ｓａは実質３６ｍｍとなっている。なお、この下段のフエンスパネル２ａは、縦線材２１の上下端部が円形状に折曲され、上下辺にそれぞれ筒状の胴縁２４，２５が形成され、保形性を高めている。
【００１９】
上段のフエンスパネル２ｂは、幅は下段のフエンスパネル２ａと同じ１８００ｍｍとし、高さは５７５ｍｍの大きさのパネルが使用され、最も上に位置する横線材２２よりも縦線材２１の上端部を上方に突出させると共に、その突出高さを正面から見てウエーブ状に変化させ、乗り越えにくくしている。かような高さにすることにより、下段のフエンスパネル２ａと上段のフエンスパネル２ｂとを合わせた全体の高さは、ほぼ２０９０ｍｍとなり、通常の大人でも乗り越えにくい高さとなっている。
【００２０】
この上段のフエンスパネル２ｂは、縦線材２１のピッチＰｂは、下段のフエンスパネル２ａの縦線材２１のピッチＰａより広い５２ｍｍとなされ、塗装の厚みを含めると縦線材２１間の隙間Ｓｂは４８ｍｍになっている。そして、縦線材２１の下端部は「し」の字形に折曲され、下辺に「し」の字形の胴縁２６が形成されていると共に、下段のフエンスパネル２ａの上辺に形成した胴縁２４に含まれる横線材２２と、上段のフエンスパネル２ｂの下辺に形成した胴縁２６に含まれる横線材２２とが、連結金具４によって連結されることにより、下段のフエンスパネル２ａの上辺に上段のフエンスパネル２ｂの下辺が固定されている。
【００２１】
尚、本発明においては、上記した下段のフエンスパネル２ａの上下辺に形成した胴縁２４，２５の形態、上部のフエンスパネル２ｂの下辺に形成した胴縁２６の形態や上辺のウエーブ状の形態、等に限定されるものではなく、本発明の範囲を逸脱しない範囲において適宜変更することができる。
【００２２】
【発明の効果】
本発明によれば、コストアップを抑えると共に支柱自体の強度や支柱を立設する基礎の強度を殊更増やすことなく、フエンスパネルの格子に足を掛けてよじ登り、敷地内に侵入しようとする者を効果的に排除することのできる。
【図面の簡単な説明】
【図１】本発明に係る敷地侵入防止用フエンスの実施の一形態を示す正面図である。
【図２】図１に示される形態の主要部の断面図である。
【図３】下段のフエンスパネルの一部拡大図である。
【図４】上段のフエンスパネルの一部拡大図である。
【符号の説明】
１　　　支柱
１１　　基礎
２　　　フエンスパネル
２ａ　　下段のフエンスパネル
２ｂ　　上段のフエンスパネル
２１　　縦線材
２２　　横線材
２３　　交叉部
２４　　胴縁
２５　　胴縁
２６　　胴縁
３　　　バンド金具
４　　　連結金具
【図１】
2004107935.tif 000003
【図２】
2004107935.tif 000004
【図３】
2004107935.tif 000005
【図４】
2004107935.tif 000006